(57)【要約】【課題】  鉛以外の材料で構成された重りを用いながら、重りの交換によってタッチ重さを容易に調整することができる鍵盤楽器の鍵を提供する。【解決手段】  本発明による鍵盤楽器の鍵は、収容穴２ａを有する揺動自在の鍵本体２と、鍵本体２に着脱自在に取り付けられた重りプレート体４を備えている。重りプレート体４は、プレート１１、およびプレート１１と一体に構成された重り１２を有している。重り１２は鍵本体２の収容穴２ａに収容され、プレート１１は鍵本体２に着脱自在に固定されている。【選択図】図１
2012068574.tif 000002
【特許請求の範囲】
【請求項１】
収容穴を有する揺動自在の鍵本体と、
プレート、および当該プレートと一体に構成された重りを有し、当該重りが前記鍵本体の前記収容穴に収容された状態で、前記プレートが前記鍵本体に着脱自在に固定された重りプレート体と、
を備えることを特徴とする鍵盤楽器の鍵。
【請求項２】
前記プレートおよび前記重りは金属で構成されていることを特徴とする、請求項１に記載の鍵盤楽器の鍵。
【請求項３】
前記プレートは、前記収容穴よりも大きなサイズを有し、前記収容穴を覆った状態で、前記鍵本体に固定されていることを特徴とする、請求項１または２に記載の鍵盤楽器の鍵。
【請求項４】
前記重りは、前記収容穴に遊びをもって収容されており、前記重りプレート体は、互いに異なる重量の重りを有する複数種類の重りプレート体で構成されていることを特徴とする、請求項１ないし３のいずれかに記載の鍵盤楽器の鍵。
【発明の詳細な説明】
【技術分野】
【０００１】
本発明は、ピアノなどの鍵に関し、特に所望のタッチ重さを得るために重りを設けた鍵盤楽器の鍵に関する。
【背景技術】
【０００２】
鍵盤楽器、特にグランドピアノなどのアコースティックピアノでは一般に、所望のタッチ重さ（静荷重）を得るために、鍵に重りが取り付けられている。従来一般に、この重りは、鉛で構成され、成形された所定サイズの円柱状のものであり、木製の鍵本体に形成された埋設孔に埋め込み、かしめることによって、鍵本体に取り付けられている。このように重りの材料として鉛が採用されているのは、金属の中でも比重が高いことや、柔軟性および延性に富むことなどによる。しかし、鉛は、有害物質であるため、鍵の重りにもできるだけ使用しないことが望ましい。
【０００３】
このため、従来、鉛以外の重りを用いるピアノの鍵が提案されており、例えば特許文献１に開示されている。この鍵は、鍵本体と、鍵本体に取り付けられた重りおよびプレートを備えている。鍵本体は、木質材で構成されており、前後方向に延び、矩形の断面を有し、その下面の前部に円柱状の収容穴が形成されている。重りは、鉛以外の金属で構成され、鍵本体の収容穴とほぼ同じサイズの円柱状のものであり、収容穴に収容され、鍵本体に接着されている。プレートは、重りの脱落を防止するためのものであり、収容穴の径よりも小さな幅を有する細長い板状に形成され、鍵本体の下面に、収容穴を前後方向にまたいだ状態で、ねじ止めされている。
【先行技術文献】
【特許文献】
【０００４】
【特許文献１】特開２００９−１４５７３１号公報
【発明の概要】
【発明が解決しようとする課題】
【０００５】
しかし、上述した従来の鍵では、重りが鍵本体に接着されているので、重りを鍵本体から容易に取り外し、交換することができない。また、重りを鍵本体の収容穴に接着するために、重りのサイズが収容穴とほぼ同じサイズに制約されてしまう。以上から、重りの重量、したがってタッチ重さを容易に調整することができない。
【０００６】
本発明は、以上のような課題を解決するためになされたものであり、鉛以外の材料で構成された重りを用いながら、重りの交換によってタッチ重さを容易に調整することができる鍵盤楽器の鍵を提供することを目的とする。
【課題を解決するための手段】
【０００７】
上記の目的を達成するために、請求項１に係る発明は、収容穴を有する揺動自在の鍵本体と、プレート、およびプレートと一体に構成された重りを有し、重りが鍵本体の収容穴に収容された状態で、プレートが鍵本体に着脱自在に固定された重りプレート体と、を備えることを特徴とする。
【０００８】
この鍵盤楽器の鍵では、プレートおよび重りを一体として重りプレート体が構成されており、その重りを鍵本体の収容穴に収容した状態で、プレートを鍵本体に固定することによって、重りが鍵本体に取り付けられる。このように、重りは収容穴に収容されるだけなので、鉛以外の延性を有しない材料を用いることが可能になる。
【０００９】
同じ理由から、収容穴に収容可能である限り、収容穴のサイズに制約されることなく、種々のサイズの重りを有する重りプレート体を用いることができる。また、プレートが鍵本体に着脱自在に固定されているため、プレートを鍵本体から取り外すことによって、重りを鍵本体から容易に取り外すことができる。したがって、重りプレート体を、異なるサイズの重りを有するものに交換し、鍵本体に取り付けることによって、タッチ重さを容易に調整することができる。さらに、鍵本体の収容穴のサイズを、想定される最も大きな重りに対応するサイズに統一することが可能になり、それにより、鍵の製造コストを削減することができる。
【００１０】
また、鍵本体に固定されたプレートと重りが一体に構成されているので、鍵の揺動に伴い、重りが収容穴の中でぐらつくことことがなく、重りが鍵本体と衝突することを回避でき、ノイズの発生を防止することができる。
【００１１】
請求項２に係る発明は、請求項１に記載の鍵盤楽器の鍵において、プレートおよび重りは金属で構成されていることを特徴とする。
【００１２】
この構成によれば、プレートおよび重りが金属で構成されているので、鍵本体に固定されたプレートによって、鍵本体を補強し、その剛性を向上させることができる。また、金属以外の材料で構成される場合と比較して、比重および重量の大きな重りが容易に得られ、したがって、所望のタッチ重さを容易に得ることができる。
【００１３】
請求項３に係る発明は、請求項１または２に記載の鍵盤楽器の鍵において、プレートは、収容穴よりも大きなサイズを有し、収容穴を覆った状態で、鍵本体に固定されていることを特徴とする。
【００１４】
この構成によれば、プレートが収容穴を覆った状態で鍵本体に取り付けられているので、重りと収容穴の間に隙間が存在する場合でも、その隙間を介して、ゴミなどの異物が収容穴に侵入することを防止でき、それにより、鍵の良好な外観や安定した動作を確保することができる。
【００１５】
請求項４に係る発明は、請求項１ないし３のいずれかに記載の鍵盤楽器の鍵において、重りは、収容穴に遊びをもって収容されており、重りプレート体は、互いに異なる重量の重りを有する複数種類の重りプレート体で構成されていることを特徴とする。
【００１６】
この構成では、重りが収容穴に対して遊びをもって収容されているので、プレートを鍵本体から取り外すだけで、重りを鍵本体から容易に取り外すことができる。また、異なる重量の重りを有する複数種類の重りプレート体の中から、必要な重量を有する１つの重りプレート体を選択することによって、タッチ重さの調整をさらに容易に行うことができる。
【図面の簡単な説明】
【００１７】
【図１】本発明を適用したグランドピアノの鍵を示す斜視図である。
【図２】図１の鍵の前部を示す底面図である。
【図３】図１の鍵の前部を示す側断面図である。
【図４】互いに異なるサイズの重りを有する３種類の重りプレート体を示す側面図である。
【発明を実施するための形態】
【００１８】
以下、図面を参照しながら、本発明の好ましい実施形態を詳細に説明する。図１は、本発明の実施形態によるグランドピアノの鍵（白鍵を１つのみ図示）を示している。同図に示すように、この鍵１は、鍵本体２と、鍵本体２に取り付けられた白鍵カバー３および重りプレート体４を備えている。なお、以下の説明では、鍵１をピアノに取り付けた状態で演奏者から見た場合の手前側（同図の矢印Ａ側）および奥側（矢印Ｂ側）をそれぞれ「前」および「後」とし、左側および右側（矢印Ｃおよび矢印Ｄ側）をそれぞれ「左」および「右」として、説明を行うものとする。
【００１９】
鍵本体２は、木質材（例えばスプルス）で構成されており、矩形の断面を有し、前後方向に延びている。鍵本体２の中央部には、上面に中座板５が接着されるとともに、これらを上下方向に貫通するようにバランスピン孔６が形成されている。また、鍵本体２の下面の前部には、フロントピン穴７が形成されている（図３参照）。このフロントピン穴７の左右の内壁面からそれに連なる鍵本体２の下面にわたり、左右のＬ字形のブッシングクロス８、８が貼り付けられている（図２参照）。さらに、鍵本体２の下面のバランスピン孔６とフロントピン穴７と間には、円柱状の収容穴２ａが形成されている。
【００２０】
また、鍵本体２の上面のバランスピン孔６よりも後ろ側には、キャプスタンスクリュー９が取り付けられており、このキャプスタンスクリュー９を介して、アクション（図示せず）が鍵１に載置されている。
【００２１】
白鍵カバー３は、合成樹脂（例えばアクリル）で構成され、Ｌ字形の断面を有し、鍵本体２の上面の前部および前面に、これらを覆うように接着されている。
【００２２】
重りプレート体４は、プレート１１および重り１２を有している。プレート１１は、鉛以外の金属（例えば鉄）で構成され、鍵本体２の下面と同じサイズおよび形状を有する細長い平板状のものであり、鍵本体２の下面に、その全面を覆うように取り付けられている。
【００２３】
また、プレート１１には、鍵本体２のバランスピン孔６およびフロントピン穴７に対応する位置に、バランスピン孔１１ａおよびフロントピン孔１１ｂがそれぞれ形成されている。図２に示すように、フロントピン孔１１ｂは、鍵本体２のフロントピン穴７よりも、左右方向の幅が大きく、それにより、ブッシングクロス８、８を収容するようになっている。さらに、プレート１１には、鍵本体２の収容穴２ａに対応する位置に、プレート１１に重り１２を取り付けるためのねじ挿入孔１１ｃが形成され、前後の端部の四隅に、鍵本体２に重りプレート体４を取り付けるためのねじ挿入孔１１ｄが形成されている。これらのねじ挿入孔１１ｃ、１１ｄは、その径が下方に向かって拡がるように座ぐりされている。
【００２４】
重り１２は、鉛以外の金属（例えば鉄）で構成されている。図１および図３に示すように、重り１２は、円柱状のものであり、その下面の中央には、ねじ穴１２ａが形成されている。重り１２は、プレート１１のねじ挿入孔１１ｃに通されたねじ１３をねじ穴１２ａにねじ込むことによって、プレート１１に一体に固定されている。この状態では、ねじ１３の頭部は、プレート１１のねじ挿入孔１１ｃの座ぐり部に収容されている。
【００２５】
また、図４に示すように、重りプレート体４は、互いに異なるサイズの重り１２Ａ〜１２Ｃを有する３種類の重りプレート体４Ａ〜４Ｃで構成されている。これらの重りプレート体４Ａ〜４Ｃのプレート１１は、サイズおよび形状が互いに同じである。重り１２Ａ〜１２Ｃの径は、この順に大きく、高さは、互いに同じで、鍵本体２の収容穴２ａの深さとほぼ同じである。さらに、最も大きな重り１２Ａの径は、収容穴２ａの径よりも小さい。このため、重り１２Ａ〜１２Ｃはいずれも、収容穴２ａに径方向に遊びをもって収容される。
【００２６】
以上の構成の重りプレート体４は、その重り１２を鍵本体２の収容穴２ａに挿入・収容した後、プレート１１の４つのねじ挿入孔１１ｄにそれぞれ通した金属製の木ねじ１４を、鍵本体２にねじ込むことによって、鍵本体２に一体に固定されている。この状態では、プレート１１は、鍵本体２の下面の全面を覆うとともに、収容穴２ａを完全に覆っている（図２参照）。また、重り１２は、収容穴２ａに径方向に遊びをもって収容されている（図３参照）。さらに、前述したねじ１３と同様、木ねじ１４の頭部は、プレート１１のねじ挿入孔１１ｄの座ぐり部に収容されている。
【００２７】
以上の構成の鍵１は、鍵本体２および重りプレート体４のバランスピン孔６、１１ａを介して、筬に立設されたバランスピン（いずれも図示せず）に係合することによって、筬に揺動自在に支持されている。また、鍵１は、鍵本体２のフロントピン穴７および重りプレート体４のフロントピン孔１１ｂを介して、筬に立設されたフロントピン（図示せず）に係合している。
【００２８】
以上の構成により、鍵１の前部を押鍵すると、鍵１がバランスピンを中心として揺動するのに伴い、アクションが、キャプスタンスクリュー９を介して鍵本体２で突き上げられることによって、作動する。また、鍵１のタッチ重さは、アクションと鍵１の重量によるバランスピン周りのモーメントのバランスによって定められる。
【００２９】
上述した鍵１のタッチ重さの調整は、例えば次のように行われる。まず、重りプレート体４Ａ〜４Ｃの中から、所望のタッチ重さに応じて、適当な重量を有する１つの重りプレート体４を選択し、前述したようにして鍵本体２に取り付ける。
【００３０】
この状態で所望のタッチ重さが得られない場合には、木ねじ１４を緩め、鍵本体２から取り外した後、重りプレート体４を鍵本体２から取り外し、異なる重量を有する別の重りプレート体４を鍵本体２に取り付ける。所望のタッチ重さが得られた場合には、タッチ重さの調整を終了する。
【００３１】
以上のように、本実施形態の鍵１によれば、重り１２が鍵本体２の収容穴２ａに収容されるだけなので、鉛以外の延性を有しない材料を用いることができる。同じ理由から、収容穴２ａに収容可能である限り、収容穴２ａのサイズに制約されることなく、重り１２Ａ〜１２Ｃのような種々のサイズの重り１２を有する重りプレート体４を用いることができる。
【００３２】
また、プレート１１が鍵本体２に着脱自在に固定されるとともに、重り１２が収容穴２ａに対して径方向に遊びをもって収容されているため、木ねじ１４を鍵本体２から取り外すだけで、プレート１１と一体に固定された重り１２を鍵本体２から容易に取り外すことができる。したがって、重りプレート体４Ａ〜４Ｃを必要に応じて交換しながら、鍵本体２に取り付けることによって、タッチ重さを容易に調整することができる。
【００３３】
さらに、プレート１１および重り１２が金属で構成されているので、鍵本体２に固定されたプレート１１によって、鍵本体２を補強し、その剛性を向上させることができる。また、金属以外の材料で構成される場合と比較して、比重および重量の大きな重り１２が容易に得られ、したがって、所望のタッチ重さを容易に得ることができる。
【００３４】
また、鍵本体２に形成される収容穴２ａのサイズを、最も大きな重り１２Ａよりも若干、大きなサイズに統一でき、それにより、鍵１の製造コストを削減することができる。さらに、プレート１１と重り１２が一体に固定されているので、鍵１の揺動に伴い、重り１２が収容穴２ａの中でぐらつくことがなく、重り１２が鍵本体２と衝突することを回避でき、ノイズの発生を防止することができる。
【００３５】
また、プレート１１が収容穴２ａを完全に覆った状態で鍵本体２に取り付けられているので、重り１２と収容穴２ａの間の隙間を介して、ゴミなどの異物が収容穴２ａに侵入することを防止でき、それにより、鍵１の良好な外観や安定した動作を確保することができる。
【００３６】
さらに、ねじ１３を重り１２から取り外すことにより、重り１２をプレート１１から分離することもできる。このため、鍵本体２から重りプレート体４を取り外した後、異なる重量の重り１２をプレート１１に付け替え、この重りプレート体４を鍵本体２に取り付けることによって、タッチ重さの調整を行うこともできる。
【００３７】
なお、本発明は、説明した実施形態に限定されることなく、種々の態様で実施することができる。例えば、実施形態では、重りプレート体４を構成するためのプレート１１と重り１２との一体化を、ねじ止めによって行っているが、これに限らず、例えば溶接または一体成形によって行ってもよい。
【００３８】
また、実施形態の収容穴２ａおよび重り１２はいずれも円柱状であるが、例えば円筒状または角柱状などの他の適当な形状を採用することが可能である。さらに、実施形態では、複数種類の重りプレート体４における重量が異なる重り１２として、径が互いに異なる重り１２Ａ〜１２Ｃを用いているが、これらはあくまで例示であり、例えば、高さ、筒状の場合の中空部の大きさ、または比重などが互いに異なる重りを用いてもよい。また、実施形態の重りプレート体４は３種類であるが、２種類でもよく、または４種類以上でもよいことはもちろんである。
【００３９】
さらに、実施形態では重り１２の材料として鉄を採用しているが、所望のタッチ重さが得られるような大きな比重を有する限り、鉛および鉄以外の材料、例えばタングステンや、合成樹脂、さらには金属と合成樹脂とをブレンドした複合材料などを採用してもよい。また、実施形態ではプレート１１の材料として鉛以外の鉄などの金属を採用しているが、鍵本体２の剛性を高めることが可能な限り、合成樹脂または堅木などを採用してもよい。
【００４０】
さらに、実施形態のプレート１１は、鍵本体２の長さ方向の全体にわたって配置されているが、部分的に配置してもよく、例えば、バランスピン孔１１ａの後ろ側の部分を短縮または省略し、主としてバランスピン孔１１ａの前側に配置してもよい。これにより、タッチ重さの調整に、重り１２の重量に加えて、プレートの重量を利用することができる。
【００４１】
また、実施形態では、重りプレート体４を鍵本体２の下面に取り付けているが、鍵本体の側面に収容穴を形成し、重りプレート体４を鍵本体の側面に取り付けてもよい。さらに、実施形態の重り１２および収容穴２ａの数は１つであるが、この数を２以上としてもよい。これにより、重りの重量と重りを取り付ける収容穴との組み合わせによって、タッチ重さをより広範囲にかつきめ細かく調整することができる。
【００４２】
また、実施形態はグランドピアノの鍵の例であるが、本発明は、アップライトピアノ、電子ピアノや鍵盤楽器玩具の鍵など、重りが取り付けられるすべての鍵に広く適用することが可能である。その他、本発明の趣旨の範囲内で、細部を適宜変更することが可能である。
【符号の説明】
【００４３】
１  鍵
２  鍵本体
２ａ  収容穴
４  重りプレート体
４Ａ  重りプレート体
４Ｂ  重りプレート体
４Ｃ  重りプレート体
１１  プレート
１２  重り
１２Ａ  重り
１２Ｂ  重り
１２Ｃ  重り
【図１】
2012068574.tif 000003
【図２】
2012068574.tif 000004
【図３】
2012068574.tif 000005
【図４】
2012068574.tif 000006